(57)【要約】  【課題】  印刷回路基板とシールドケースの接地接続が確実で、小形化が可能な内視鏡装置を提供する。  【解決手段】  電子内視鏡を駆動制御する回路、撮像信号の信号処理を施す回路が形成された印刷回路基板２１と、この印刷回路基板２１を覆いシールドするシールドケース９と、このシールドケース９が印刷回路基板２１を覆いシールドした際に、シールドケース６の側面部３１の端面と面接触する印刷回路基板２１に設けられた接地パターン２４上に設けた導電性弾性層２６とからなりシールドケース９の天板部３０を印刷回路基板２１に設けたスペーサ部材２７により固定させる内視鏡装置。  【選択図】  図１
2006026174.tif 000002
【特許請求の範囲】
【請求項１】
少なくとも電子内視鏡、光源、及び電子内視鏡を駆動制御すると共に、電子内視鏡により撮像した撮像信号に所定の信号処理を施してモニターに内視鏡画像を表示させるビデオプロセッサからなる内視鏡装置において、
電子内視鏡を駆動制御する駆動制御回路、及び撮像信号に所定の信号処理を施す信号処理回路のうち少なくともいずれかの回路機能が形成された印刷回路基板と、
この印刷回路基板に形成された回路機構を覆いシールドするシールドケースと、
このシールドケースが回路機能を覆いシールドした際に、前記シールドケースの側面部の端面と面接触する前記印刷回路基板に設けられた接地パターンと、
前記シールドケースの側面部の端面と前記印刷回路基板の接地パターンとの面接触状態を維持させて、前記シールドケースの側面部以外の位置において前記シールドケースを固定させる固定部と、
を具備することを特徴とした内視鏡装置。
【請求項２】
前記固定部により前記シールドケースを固定する際に、前記シールドケースの側面部の端面と、前記印刷回路基板の接地パターンとの間に導電性弾性部材を介在させることを特徴とした請求項１に記載の内視鏡装置。
【請求項３】
前記固定部により前記シールドケースを固定させる際に、前記シールドケースと前記固定部材の間に導電性弾性部材を介在させたことを特徴とした請求項１に記載の内視鏡装置。
【請求項４】
前記固定部は、前記印刷回路基板に植設されたスペーサ部材と、このスペーサ部材に前記シールドケースの天板部を固定するネジ部材とからなることを特徴とした請求項１乃至３のいずれかに記載の内視鏡装置。
【請求項５】
少なくとも電子内視鏡、光源、及び電子内視鏡を駆動制御すると共に、電子内視鏡により撮像した撮像信号に所定の信号処理を施してモニターに内視鏡画像を表示させるビデオプロセッサからなる内視鏡装置において、
電子内視鏡を駆動制御する駆動制御回路、及び撮像信号に所定の信号処理を施す信号処理回路のうち少なくともいずれかの回路機能が形成された印刷回路基板と、
この印刷回路基板に形成された回路機構を覆いシールドするシールドケースと、
このシールドケースが前記回路機能を覆いシールドした際に、前記シールドケースの側面部の端面と面接触する前記印刷回路基板に設けられた接地パターンと、
前記印刷回路基板を載置する印刷回路基板用のブラケットが設けられたボトムカバーと、
前記シールドケースの天板部が内面に取付固定され、前記ボトムカバーに取り付けられるトップカバーと、
このトップカバーを前記ボトムカバーに取り付ける際に、前記シールドケースの側面部の端面が前記ブラケットに載置されている前記印刷回路基板の接地パターンとの面接触を維持させて、前記トップカバーをボトムカバーに取り付ける取付部と、
を具備したことを特徴とする内視鏡装置。
【請求項６】
前記取付部により前記トップカバーを前記ボトムカバーに取り付ける際に、前記シールドケースの側面部の端面と、前記印刷回路基板の接地パターンとの間に導電性弾性部材を介在させることを特徴とした請求項５に記載の内視鏡装置。
【請求項７】
前記ボトムカバーに設けられた印刷回路基板用のブラケットには、前記印刷回路基板が載置された際に、前記印刷回路基板の前後左右の位置決めを行うための切り起こし片を有していることを特徴とした請求項５に記載の内視鏡装置。
【請求項８】
前記印刷回路基板に設けられる接地パターンの幅形状は、前記シールドケースを形成する部材の厚み形状、あるいは、前記シールドケースの側面部の端面を最少の折り曲げ幅にて折り曲げた形状と略同等に形成されていることを特徴とした請求項１乃至６のいずれかに記載の内視鏡装置。
【請求項９】
前記シールドケースは、前記印刷回路基板の一側面側に実装された複数のコネクタが配置されたコネクタ部分を覆いシールドする側面部を除去し、その除去した側面部を前記複数のコネクタが装着される複数のコネクタ開口を有するバックカバーに当接させて固定、あるいは取り付けられることを特徴とした請求項１乃至８のいずれかに記載の内視鏡装置。
【発明の詳細な説明】
【技術分野】
【０００１】
本発明は、内視鏡装置に関し、特に内視鏡装置を構成する印刷回路基板を覆いシールドするシールドケースを有する内視鏡装置に関する。
【背景技術】
【０００２】
近年、体腔内に挿入される挿入部に固体撮像素子である電荷結合素子（以下、ＣＣＤと称する）を内蔵した電子内視鏡と、この電子内視鏡のＣＣＤにより撮像された撮像信号に所定の信号処理を施してモニターに内視鏡画像を表示させる電子内視鏡装置が実用化している。
【０００３】
図８に示すように、内視鏡装置１００は、電子内視鏡１０１、光源装置１０２、ビデオプロセッサ１０３、及びモニター１０４から構成されている。
【０００４】
電子内視鏡１０１は、体腔内に挿入される挿入部１０５、この挿入部の基端に設けられている操作部１０６、及び操作部１０６から延出されたユニバーサルコード１０７からなっている。
【０００５】
挿入部１０５は、操作部１０６に基端が接続された細長い可撓管部１０８、上下左右方向に湾曲操作可能な湾曲部１０９、及びＣＣＤが内蔵された観察窓、照明窓、処置具開口、及び送水送気口等を有する先端部１１０の順に連設形成されている。
【０００６】
操作部１０６は、術者が把持操作すると共に、挿入部１０５の湾曲部１０９を上下左右に湾曲操作するための湾曲レバー、処置具を挿入する処置具挿入口、送水送気ボタン、及び吸水吸気ボタン等が設けられている。
【０００７】
挿入部１０５の内部には、操作部１０６の処置具挿入口から挿入された処置具が挿通される処置具チャンネルが設けられ、先端部１１０の処置具開口へと連通している。更に、先端部１１０の観察窓に設けられたＣＣＤに接続されている信号ケーブル、照明窓に配置されているライトガイド、湾曲部１０９を湾曲操作する湾曲ワイヤ、及び送水送気・吸水吸気用の管路が設けられている。
【０００８】
ユニバーサルコード１０７には、挿入部１０５と操作部１０６に内蔵されている信号ケーブル、ライトガイド、及び送水送気・吸水吸気用管路が内蔵されて、光源装置１０２にコネクタ１１１により接続されている。このユニバーサルコード１０７に内蔵されている信号ケーブルは、コネクタ１１１から分岐されてビデオプロセッサ１０３に接続されている。
【０００９】
光源装置１０２は、光源ランプと、この光源ランプの点灯駆動回路等からなり光源ランプから放射された光をライトガイドの入力端に集光入射する。この光源装置１０２によりライトガイドの入力端に集光入射された光は、ライトガイドにより導かれて、挿入部１０５の先端部１１０の照明窓から体腔内の被観察部位へと照射される。
【００１０】
ビデオプロセッサ１０３は、挿入部１０５の先端部１１０の観察窓に内蔵されているＣＣＤを駆動させ、撮像面に結像した被観察部位像を光電変換して撮像信号を得ると共に、その撮像信号に所定の信号処理を施して映像信号を生成し、その映像信号によりモニター１０４に内視鏡画像を表示させる。なお、図示していないが、このビデオプロセッサ１０３において生成された映像信号を録画記録したり、あるいは、デジタルデータ化して記録するビデオ機器やパーソナルコンピュータ等の記録機器が接続可能となっている。
【００１１】
このような構成の内視鏡装置１０１において、ビデオプロセッサ１０３内のＣＣＤを駆動させ、光電変換された撮像信号を取り出すための駆動制御回路と、取り出した撮像信号に所定の信号処理を施すための信号処理回路等は、印刷回路基板にて形成されている。それら回路から放射されて他の機器に影響を与えるノイズや不要な電磁波、あるいは、他の機器からのノイズや不要な電磁波の混入を防止するために印刷回路基板に形成されている回路をシールドケースによって覆いシールドすることが行われている。
【００１２】
この内視鏡装置において、印刷回路基板をシールドケースにより覆いシールドする一般的な方法について、図９を用いて説明する。なお、このシールドケースによる印刷回路基板のシールド方法は、一般的であり特に文献に開示されていない。
【００１３】
図９に示すように、印刷回路基板１２１には、例えば、ＣＣＤの駆動制御を行う回路機能を有する駆動制御回路素子１２２ａ、撮像信号に所定の信号処理を施す信号回路機能を有する信号処理回路素子１２２ｂ、及び図示していない他の印刷回路基板との接続ハーネスのハーネス用コネクタ１２２ｃ，１２２ｄ等の複数の電気部品１２２が実装され、それら電気部品１２２は、図示していない回路パターンにより接続されている。この印刷回路基板１２１の全体形状は、矩形状で表面の外周には、後述するシールドケース１３１が載置される接地パターン１２３が設けられ、この接地パターン１２３に対向する裏面の外周にも図示していない接地パターンが設けられ、それら接地パターン間は電気的に接続されている。
【００１４】
この印刷回路基板１２１は、ビデオプロセッサ１０３の図示していないボトムカバーに設けられている印刷回路基板載置用のブラケット１２５に載置して固定されるようになっている。このブラケット１２５は、印刷回路基板１２１の外形と同じ形状の矩形状に形成されており、ボトムカバーにネジあるいはリベットにて取付固定される脚部１２６、この脚部１２６から垂直に立ち上げた側面部１２７、及びその側面部１２７から脚部１２６と平行に折り曲げられ、かつ、印刷回路基板１２１の裏面の外周に設けられている接地パターンが載置される基板載置部１２８が一体的に形成されている。
【００１５】
シールドケース１３１は、全体形状が箱状で、印刷回路基板１２１に実装された複数の電気部品１２２を覆いシールドする天板部１３２と側面部１３３、及び側面部１３３の下端部から天板部１３２と平行に折り曲げられて印刷回路基板１２１の表面の外周に設けられた接地パターン１２３に面接触で載置されるシールド固定部１３４からなっている。
【００１６】
印刷回路基板１２１の接地パターン１２３には複数のネジ穴１２３ａ〜ｈ、ブラケット１２５の基板載置部１２８には複数のネジ穴１２８ａ〜ｈ、及びシールドケース１３１のシールド固定部１３４には複数のネジ穴１３４ａ〜ｈが設けられ、それぞれのネジ穴１２３ａ〜ｈ，１２８ａ〜ｈ，１３４ａ〜ｈは同一位置に設けられている。
【００１７】
このような印刷回路基板１２１、ブラケット１２５、及びシールドケース１３１から構成され、ボトムカバーにネジあるいはリベットにより脚部１２６が固定されたブラケット１２５の基板載置部１２８に、印刷回路基板１２１の裏面側の接地パターンを載置させ、その印刷回路基板１２１の表面の接地パターン１２３の表面にシールドケース１３１のシールド固定部１３４を載置させた後、複数のネジ１３５ａ〜１３５ｈにより印刷回路基板１２１とシールドケース１３１をブラケット１２５に固定する。これにより、シールドケース１３１、印刷回路基板１２１の接地パターン１２３、及びブラケット１２５が同電位に接続される。
【００１８】
このように、印刷回路基板１２１に形成された各種回路をシールドケース１３１により覆いシールドすることで、印刷回路基板１２１からのノイズや不要な電磁波の外部への放射や、外部からのノイズや不要な電磁波の混入を防止している。
【発明の開示】
【発明が解決しようとする課題】
【００１９】
図９に示すように、印刷回路基板１２１を覆いシールドするシールドケース１３１は、印刷回路基板１２１の接地パターン１２３と、及びブラケット１２５と電気的に同電位とするために、シールドケース１３１のシールド固定部１３４と印刷回路基板１２１の接地パターン１２３をネジ１３５によりブラケット１２５の基板載置部１２８に固定している。このために、シールドケース１３１のシールド固定部１３４、及び印刷回路基板１２１の接地パターン１２３の幅ｌは、少なくともネジ１３５の外径ｌ’よりも広く（ｌ＞ｌ’）して、このネジ１３５によりブラケット１２５に固定する必要がある。
【００２０】
このため、印刷回路基板１２１の外周に設ける接地パターン１２３と、シールドケース１３１のシールド固定部１３４の幅ｌは、ネジ１３５の外径ｌ’よりも小さくすることができず、印刷回路基板１２１とシールドケース１３１の小形化の妨げとなっている。
【００２１】
本発明は、このような事情に鑑みて、印刷回路基板とシールドケースの接地接続が確実に行えると共に、小形化が可能な内視鏡装置を提供することを目的としている。
【課題を解決するための手段】
【００２２】
本発明の内視鏡装置は、少なくとも電子内視鏡、光源、及び電子内視鏡を駆動制御すると共に、電子内視鏡により撮像した撮像信号に所定の信号処理を施してモニターに内視鏡画像を表示させるビデオプロセッサからなる内視鏡装置において、電子内視鏡を駆動制御する駆動制御回路、及び撮像信号に所定の信号処理を施す信号処理回路のうち少なくともいずれかの回路機能が形成された印刷回路基板と、この印刷回路基板に形成された回路機構を覆いシールドするシールドケースと、このシールドケースが回路機能を覆いシールドした際に、前記シールドケースの側面部の端面と面接触する前記印刷回路基板に設けられた接地パターンと、前記シールドケースの側面部の端面と前記印刷回路基板の接地パターンとの面接触状態を維持させて、前記シールドケースの側面部の端面以外の位置において前記シールドケースを固定させる固定部と、を具備することを特徴としている。
【００２３】
本発明の内視鏡装置は、前記固定部により前記シールドケースを固定する際に、前記シールドケースの側面部の端面と、前記印刷回路基板の接地パターンとの間に導電性弾性部材を介在させることを特徴としている。
【００２４】
本発明の内視鏡装置は、前記固定部により前記シールドケースを固定させる際に、前記シールドケースと前記固定部材の間に導電性弾性部材を介在させたことを特徴としている。
【００２５】
本発明の内視鏡装置の前記固定部は、前記印刷回路基板に植設されたスペーサ部材と、このスペーサ部材に前記シールドケースの天板部を固定するネジ部材とからなることを特徴としている。
【００２６】
本発明の内視鏡装置は、少なくとも電子内視鏡、光源、及び電子内視鏡を駆動制御すると共に、電子内視鏡により撮像した撮像信号に所定の信号処理を施してモニターに内視鏡画像を表示させるビデオプロセッサからなる内視鏡装置において、電子内視鏡を駆動制御する駆動制御回路、及び撮像信号に所定の信号処理を施す信号処理回路のうち少なくともいずれかの回路機能が形成された印刷回路基板と、この印刷回路基板に形成された回路機構を覆いシールドするシールドケースと、このシールドケースが前記回路機能を覆いシールドした際に、前記シールドケースの側面部の端面と面接触する前記印刷回路基板に設けられた接地パターンと、前記印刷回路基板を載置する印刷回路基板用のブラケットが設けられたボトムカバーと、前記シールドケースの天板部が内面に取付固定され、前記ボトムカバーに取り付けられるトップカバーと、このトップカバーを前記ボトムカバーに取り付ける際に、前記シールドケースの側面部の端面が前記ブラケットに載置されている前記印刷回路基板の接地パターンとの面接触を維持させて、前記トップカバーをボトムカバーに取り付ける取付部と、を具備することを特徴としている。
【００２７】
本発明の内視鏡装置は、前記取付部により前記トップカバーを前記ボトムカバーに取り付ける際に、前記シールドケースの側面部の端面と、前記印刷回路基板の接地パターンとの間に導電性弾性部材を介在させることを特徴としている。
【００２８】
本発明の内視鏡装置は、前記ボトムカバーに設けられた印刷回路基板用のブラケットには、前記印刷回路基板が載置された際に、前記印刷回路基板の前後左右の位置決めを行うための切り起こし片を有していることを特徴としている。
【００２９】
本発明の内視鏡装置の前記印刷回路基板に設けられる接地パターンの幅形状は、前記シールドケースを形成する部材の厚み形状、あるいは、前記シールドケースの側面部の端面を最少の折り曲げ幅にて折り曲げた形状と略同等に形成されていることを特徴としている。
【００３０】
本発明の内視鏡装置の前記シールドケースは、前記印刷回路基板の一側面側に実装された複数のコネクタが配置されたコネクタ部分を覆いシールドする側面部を除去し、その除去した側面部を前記複数のコネクタが装着される複数のコネクタ開口を有するバックカバーに当接させて固定、あるいは取り付けられることを特徴としている。
【発明の効果】
【００３１】
本発明の内視鏡装置は、印刷回路基板とシールドケースの小形化が可能であり、かつ、電気的に接地接続が確実に行え、ノイズや不要な電磁波の放射や混入を防止できる効果を有している。
【発明を実施するための最良の形態】
【００３２】
以下、図面を参照して本発明の実施の形態について詳細に説明する。
【００３３】
本発明の第１の実施形態の内視鏡装置について、図１乃至図３を用いて説明する。図１は本発明の内視鏡装置に用いるビデオプロセッサの全体構成を説明する一部展開斜視図、図２は本発明の第１の実施形態の内視鏡装置のビデオプロセッサに用いる印刷回路基板、シールドケース、及びブラケットの関係を示す展開斜視図、図３は本発明の第１の実施形態の内視鏡装置のビデオプロセッサに用いる印刷回路基板、シールドケース、及びブラケットの組立状態を示す断面図である。
【００３４】
最初に本発明の内視鏡装置に用いるビデオプロセッサの構成について図１を用いて説明する。ビデオプロセッサ１は、上述したビデオプロセッサ１０３と同様に、電子内視鏡に内蔵されているＣＣＤの駆動制御と、ＣＣＤにおいて撮像した撮像信号に所定の信号処理を施して内視鏡画像信号を生成し、その内視鏡画像信号を基にモニタに内視鏡画像を表示したり、内視鏡画像信号や内視鏡画像データを各種記録機器に記録させるものである。
【００３５】
このビデオプロセッサ１は、フロントカバー２、ボトムカバー３、バックカバー４、及びトップカバー５からなる外装カバーの内部にシールドケース９ａ〜９ｃによりそれぞれ覆いシールドされた各種回路機能を有する印刷回路基板が配置されている。
【００３６】
フロントカバー２には、各種操作スイッチ６や操作状態の表示部７及びＰＣカード挿入用スロット８等が設けられている。バックカバー４には、ボトムカバー３に配置されている印刷回路基板に実装された電子内視鏡、モニター、及び各種記録機器に接続するための図示してない複数のコネクタが配置されている。トップカバー５は、フロントカバー２、ボトムカバー３、及びバックカバー４からなる内部にシールドケース９ａ〜ｃによりシールドされた印刷回路基板、及びコネクタ等が設置された後に装着される。
【００３７】
このような構成のビデオプロセッサ１のフロント、ボトム、及びバックカバー２，３，４の内側に配置されているシールドケース９と、そのシールドケースで覆いシールドされている印刷回路基板について、図２を用いて説明する。なお、図２は図１に示すシールドケース９ａを例とした展開斜視図である。
【００３８】
ボトムカバー３とバックカバー４は一体に形成され、ボトムカバー３の表面には、後述する印刷回路基板２１を載置して固定するためのブラケット１１ａ〜１１ｃが設置されている。ブラケット１１ａ〜ｃは、金属部材により形成され、ボトムカバー３の表面にネジやリベットなどにより固定される固定部１２、この固定部１２から垂直に立ち上げた立ち上げ部１３、この立ち上げ部１３から水平に固定部１２と逆方向に折り曲げ形成した基板載置部１４からなる形状に一体的に形成されている。ブラケット１１ａ，１１ｂの基板載置部１４には、基板載置部１４と同一平面上に形成された基板固定用のネジ穴部１５ａ〜ｂが設けられ、長手方向の一端は、バックカバー４に当接させて互いに対向するようにボトムカバー３に設置されている。
【００３９】
ブラケット１１ｃは、図示するようにブラケット１１ａ〜ｂの一端の間に設置されている。このブラケット１１ｃには、基板固定用のネジ穴部１５に変えて、基板載置部１４から垂直に衝立部６が形成されている。この実施形態では、本発明とは直接的には関係しないが、図示していない印刷回路基板２１に積層された第２の印刷回路基板との干渉を避けるために設けられたシールドケース９ａの切り欠き部１６’によってできる隙間を埋めるために設けられている。このブラケット１１ａ〜１１ｃは、図示するように、バックカバー４に最も近接させてボトムケース３の表面に、矩形状の印刷回路基板２１の３辺の外形状に沿って設置されている。
【００４０】
バックカバー４には、ブラケット１１ａ〜ｃに載置される印刷回路基板２１に実装されている各種コネクタ本体のコネクタが装着されるコネクタ開口１７ａ〜ｄが穿設されている。
【００４１】
印刷回路基板２１の表面には、各種回路機能を構成する各種電気回路素子２２ａ〜ｆ、他の印刷回路基板と接続する接続ハーネス用コネクタ２２ｇ〜ｈ、及び各種コネクタ本体２３ａ〜ｃが実装され、それら電気回路素子２２ａ〜ｈとコネクタ本体２３ａ〜ｃは、印刷回路基板２１に設けられた配線パターンにより相互に接続されている。なお、コネクタ本体２３ａ〜ｃは、バックカバー４に設けられたコネクタ開口１７ａ〜１７ｃに対向するように印刷回路基板２１の後端側に実装されている。この印刷回路基板２１の表面の後端側を除く外周の３辺には接地パターン２４ａ〜ｂが形成されている。
【００４２】
また、この印刷回路基板２１の裏面には、図示していないが、表面に設けた接地パターン２４ａ〜ｂと対向する位置に同様な接地パターンが設けられている。この印刷回路基板２１の裏面の接地パターンは、ブラケット１１ａ〜１１ｃの基板載置部１４に載置されて面接触する。
【００４３】
更に、印刷回路基板２１には、ブラケット１１ａ〜ｂに設けられた基板固定用ネジ穴１５ａ〜ｂに対向する位置にネジ挿通孔２５ａ〜ｄが穿設されている。この印刷回路基板２１の表面の接地パターン２４ａ〜ｂには、この接地パターン２４ａ〜ｂと同じ形状に形成された導電性弾性部材を用いた導電性弾性層２６ａ〜ｂが接着積層されている。
【００４４】
つまり、印刷回路基板２１は、電気回路素子２２ａ〜ｈとコネクタ本体２３ａ〜ｃが実装され、外周には導電性弾性層２６ａ〜ｂが接着積層された接地パターン２４ａ〜ｂとネジ挿通孔２５ａ〜ｄが設けられている。
【００４５】
この印刷回路基板２１をブラケット１１ａ〜ｃの基板載置部１４に載置させて印刷回路基板２１の裏面に設けている接地パターンと面接触させた状態で、印刷回路基板２１に設けたネジ挿通孔２５ａ〜ｄからブラケット１１ａ〜ｂに設けられている基板固定用ネジ穴１５ａ〜ｂに挿通させたスペーサ部材２７ａ〜ｄの雄ネジ部２８によりネジ止め固定する。
【００４６】
このスペーサ部材２７ａ〜ｄは、金属部材を用いて、全体形状が円柱形、あるいは多角柱形状で、一方端に雄ネジ部２８、他方端に雌ネジ部２９が形成されている。このスペーサ部材２７ａ〜ｄの雄ネジ部２８を印刷回路基板２１のネジ挿通孔２５ａ〜ｄに挿通させて、ブラケット１１ａ〜ｂの基板固定用ネジ穴１５ａ〜ｂに螺合させることで、印刷回路基板２１をブラケット１１ａ〜ｃに固定すると共に、印刷回路基板２１の裏面の外周側に設けられている接地パターンがブラケット１１ａ〜ｃの基板載置部１４と面接触される。
【００４７】
なお、印刷回路基板２１の表面の接地パターン２４ａ〜ｂの一部をネジ挿通孔２５ａ〜ｄの周囲まで延在させると、この接地パターン２４ａ〜ｂがスペーサ部材２７ａ〜ｄを介してブラケット１１ａ〜ｂに電気的に接続される。
【００４８】
このスペーサ部材２７は、印刷回路基板２１と後述するシールドケース９ａの天板との間の間隔を所定の寸法に維持固定すると共に、印刷回路基板２１のブラケット１１への固定用として用いられる。
【００４９】
なお、このスペーサ部材２７に変えて、一般的な雄ネジを印刷回路基板２１のネジ挿通孔２５ａ〜ｄからブラケット１１ａ〜ｂの基板固定用ネジ穴１５ａ〜ｂに螺合させて印刷回路基板２１をブラケット１１ａ〜ｃに取り付けても良い。
【００５０】
一方、印刷回路基板２１を覆いシールドするシールドケース９ａは、電磁シールド部材を用いて全体形状が箱状に形成され、天板部３０と側面部３１ａ〜ｃからなっている。なお、このシールドケース９ａは、３辺の側面部３１ａ〜ｃからなり、印刷回路基板２１を覆いシールドする際に、印刷回路基板２１のコネクタ本体２３ａ〜ｃが実装されている側に該当する側面部は設けられていない。このコネクタ本体２３ａ〜ｃが実装されている側の側面部を設けなくても良い理由は後述する。
【００５１】
このシールドケース９ａの側面部３１ａ〜ｃの端面は、印刷回路基板２１の接地パターン２４ａ〜ｂに載置されると共に、その側面部３１ａ〜ｃの高さは、印刷回路基板２１に実装されている電気回路素子２２やコネクタ本体２３を覆いシールドするために必要な寸法で形成されている。また、この実施形態では、印刷回路基板２１は、１枚の例を用いて説明しているが、この印刷回路基板２１の上部に複数枚の印刷回路基板を重ねて設ける場合は、印刷回路基板２１を含む重ねられた印刷回路基板の全てを覆いシールドできる高さ寸法に形成する。
【００５２】
このシールドケース９ａの天板部３０には、印刷回路基板２１をブラケット１１ａ〜ｂに固定するために用いたスペーサ部材２７ａ〜ｄの雌ネジ部２９に対応する位置にネジ挿通孔３２ａ〜ｄが設けられている。
【００５３】
すなわち、図２に示すＡ−Ａ切断線から見た組立断面図である図３（ａ）に示すように、ボトムカバー３に設けられたブラケット１１の基板載置部１４に印刷回路基板２１を載置させ、スペーサ部材２７により印刷回路基板２１をブラケット１１に固定する。次に、印刷回路基板２１の図中の上面側からシールドケース９を被せ、シールドケース９の側面部３１の端面を印刷回路基板２１の接地パターン２４に接着積層している導電性弾性層２６に載置させる。このシールドケース９の天板部３０に設けたネジ挿通孔３２から雄ネジ３３をスペーサ部材２７の雌ネジ部２９に螺合させてシールドケース９を固定する。
【００５４】
これにより、シールドケース９は、シールドケース９の天板部３０とスペーサ部材２７からなる固定部により印刷回路基板２１に取り付けられると共に、シールドケース９の側面部３１の端面が導電性弾性層２６を介して、接地パターン２４と確実に面接触される。つまり、スペース部材２７の高さ寸法と、シールドケース９の側面部３１の高さ寸法の誤差は、導電性弾性層２６により吸収されて、シールドケース９の側面部３１の端面と印刷回路基板２１の接地パターン２４ａ〜ｂが確実に面接触されて電気的に接続される。
【００５５】
なお、印刷回路基板２１の接地パターン２４に接着積層した導電性弾性層２６に変えて、同じ導電性弾性部材により形成した図２の図中点線で示す導電性弾性ワッシャー２６’ｅ〜ｈをスペーサ部材２７ａ〜ｄとシールドケース９ａの天板部２８の間に介在して雄ネジで固定しても良い。つまり、図３（ｂ）に示すように、導電性弾性ワッシャー２６’をシールドケース９の天板部３０とスペーサ部材２７の間に介装させて雄ネジ３３によりシールドケース９を取り付けるとシールドケース９の側面部３１とスペーサ部材２７との高く寸法の誤差を導電弾性ワッシャー２６’により吸収されて、シールドケース９の側面部３１の端面と印刷回路基板２１の接地パターン２４の面接触が確実に確保できる。
【００５６】
また、このシールドケース９の側面部３１の端面は、部材を切断した状態である部材の厚さ寸法の幅の狭い断面状態であっても導電性弾性層２６、あるいは導電性弾性ワッシャー２６’を介して取り付けることにより印刷回路基板２１の接地パターン２４との面接触が確実に確保できるために、印刷回路基板２１の接地パターン２４の形状寸法の幅を狭くすることができ、印刷回路基板２１の小形化が可能となる。
【００５７】
なお、もし仮に、シールドケース９の側面部３１の端面が、部材を切断した状態の部材の厚さ寸法の幅では、印刷回路基板２１の接地パターン２４との接触面積が少なすぎる場合は、図３（ｃ）に示すように、側面部３１に対して、水平方向に折り曲げた最少幅の折り曲げ部３４を形成させ、その折り曲げ部３４の底面を導電性弾性層２６を介して接地パターン２４と面接触させる。この場合のシールドケース９の側面部３１に設けられる折り曲げ部３４は、接地パターン２４とのトータル接地面積を広くために設けられることから、折り曲げ部３４の幅は最小化できるために、印刷回路基板２１の小形化を阻害することはない。
【００５８】
次に、本発明の第２の実施形態の内視鏡装置について、図４と図５を用いて説明する。図４は本発明の第２の実施形態の内視鏡装置に用いるビデオプロセッサの構成を示す展開斜視図、図５は図５の切断線Ｂ−Ｂから切断した組立断面図である。なお、図１乃至図３と同一部分は、同一符号を付して詳細説明は省略する。
【００５９】
前述した第１の実施形態と、この第２の実施形態の相違は、シールドケース９がトップカバー５の内面に取付固定され、ブラケット１１は基板固定用のネジ穴部１５が廃止されて、この基板固定用ネジ穴１５に変えて、印刷回路基板２１とシールドケース９の位置決め用の切り起こし片１５’が形成されている。この切り起こし片１５’を形成したことで、スペーサ部材２７を用いることなく印刷回路基板２１とシールドケース９の取付固定を可能とする。
【００６０】
シールドケース９の天板部３０は、ネジまたはリベット等の固定部３５ａ〜ｄにより図中点線で示すトップカバー５の天板５ａの内面に取付固定されている。このシールドケース９の側面部３１ａ〜ｃの端面には、折り曲げ部３４ａ〜ｃが形成されている。また、トップカバー５の側面５ｂの端面には、ボトムカバー３に取付固定される雌ネジが形成された雌ネジ部５ｃが設けられている。
【００６１】
印刷回路基板２１は、前述したと同様の構成で、電気回路素子２２、コネクタ本体２３、及び接地パターン２４に接着積層された導電性弾性層２６ａ〜ｂが設けられている。なお、この印刷回路基板２１には、ブラケット１１に取り付けるためのスペーサ部材２７の雄ネジ部２８を挿通させるネジ挿通孔２５は設けられていない。
【００６２】
ボトムカバー３に設置されるブラケット１１ａ〜ｃには、前述した基板固定用ネジ穴部１５に変えて、切り起こし片１５’ａ〜ｂが形成されている。この切り起こし片１５’ａ〜ｂは、立ち上げ部１３から所定の幅で切り起こして形成されており、基板載置部１４に載置された印刷回路基板２１の外周の端面が当接されるようになっている。
【００６３】
つまり、ブラケット１１ａ〜ｃのそれぞれの基板載置部１４に印刷回路基板２１を載置すると、その印刷回路基板２１は、ブラケット１１ａの切り起こし片１５’ａ，１５’ｂと、ブラケット１１ｂの切り起こし片１５’ａ，１５’ｂにより図中左右方向の位置が規制され、ブラケット１１ｃの切り起こし片１５’とバックカバー４により図中前後方向の位置が規制される。
【００６４】
すなわち、図５に示すように、このブラケット１１ａ〜ｃの基板載置部１４に印刷回路基板２１を載置させ、それぞれのブラケット１１ａ〜ｃの切り起こし片１５’とバックカバー４により前後左右の位置規制が行われている状態において、トップカバー５をフロントカバー２とバックカバー４の間に装着させる際に、トップカバー５に取付固定されているシールドケース９の側面部３１の端面に設けた折り曲げ部３４をブラケット１１ａ〜ｃのそれぞれの切り起こし片１５’ａ，１５’ｂにより位置規制させながら印刷回路基板２１に接着積層している導電性弾性層２６ａ〜ｂに載置させる。
【００６５】
つまり、シールドケース９が内面に取付固定されたトップカバー５をボトムカバー３に装着するとシールドケース９が印刷回路基板２１を覆うことになり、トップカバー５を雄ネジ１５ｄによりボトムカバー３に固定すると、シールドケース９の折り曲げ部３４は、導電性弾性層２６ａ〜ｂを介して接地パターン２４ａ〜ｂに面接触される。
【００６６】
これにより、前述した第１の実施形態と同様に、印刷回路基板２１の接地パターン２４の幅形状の短小化が可能となり、印刷回路基板２１の全体形状の小型化が実現できる。また、前述した第１の実施形態に比して、シールドケース９と印刷回路基板２１をブラケットに取り付けるためのスペーサ部材２７が不要となり、シールドケース９と印刷回路基板２１の固定用の部品点数の削減も可能となる。
【００６７】
次に、本発明の第３の実施形態の内視鏡装置について、図６を用いて説明する。図６は本発明の第３の実施形態の内視鏡装置に用いるビデオプロセッサの背面から見た展開斜視図である。
【００６８】
ボトムカバー３とバックカバー４は、一体的に金属部材により形成されており、前述したように、ビデオプロセッサのバックカバー４には、電子内視鏡、モニター、及び各種記録機器等からの信号ケーブルを接続するための複数のコネクタ本体２３ａ〜ｃのコネクタが露出されるようになっている。この複数のコネクタ本体２３ａ〜ｃは、印刷回路基板２１のバックカバー４側に位置する１辺に実装され、その印刷回路基板２１がブラケット１１に取り付けられた際に、コネクタ本体２３ａ〜ｃの対向位置のバックカバー４にコネクタ開口１７ａ〜ｃが設けられている。
【００６９】
つまり、コネクタ本体２３ａ〜ｃを実装した印刷回路基板２１がボトムカバー３に設けられているブラケット１１に取り付けられると、印刷回路基板２１に実装されたコネクタ本体２３ａ〜ｃは、バックカバー４に設けられているコネクタ開口１７ａ〜ｃからコネクタが露出される。
【００７０】
この状態において、シールドケース９を印刷回路基板２１を覆いシールドするように前述した第１の実施形態あるいは第２の実施形態と同様に装着させると、シールドケース２１の側面部３１ａ〜ｃの端面は印刷回路基板２１に接着積層した導電性弾性層２６ａ〜ｂに面接触すると共に、シールドケース９の側面部３１ａ，３１ｂのバックカバー４側の端面はバックカバー４に面接触させる。これにより、印刷回路基板２１は、シールドケース９とバックカバー４により覆いシールドすることができる。従って前述した各実施形態と同様な効果が得られると共に、シールドケース９の部材の削減が可能となる。
【００７１】
ところで、内視鏡装置のビデオプロセッサには、前述したように、電子内視鏡、モニター、及び各種記録機器等を接続するための複数のコネクタ本体２３ａ，２３ｂ，２３ｃ，２３ｄ，…のコネクタ２３ａ’，２３ｂ’，２３ｃ’，２３ｄ’，…が図７に示すようにバックカバー４から露出されている。この露出するコネクタ２３ａ’，２３ｂ’，２３ｃ’，２３ｄ’，…は、形状やピン数が類似されているものが用いられており、接続する機器からの信号ケーブルの接続を間違えることがある。
【００７２】
そこで、ビデオプロセッサのバックカバー４に露出されているコネクタ２３ａ’，２３ｂ’，２３ｃ’，２３ｄ’，…毎に接続される機器名と、その機器からの信号ケーブルの種別を表示するための文字や記号による表記４１を行う。例えば、コネクタ２３ａ’には機器ＡＢＣを接続するコネクタであることを示すＡＢＣ表記４１ａ、コネクタ２３ｂ’には機器ｘｙを接続するコネクタであることを示すｘｙ表記４１ｂ、コネクタ２３ｃ’には機器Ｅの入力信号ケーブルが接続されるコネクタであることを示すＥｉｎ表記４１ｃ、及びコネクタ２３ｄ’には機器Ｅの出力信号ケーブルが接続されるコネクタであることを示すＥｏｕｔ表記４１ｄを設ける。
【００７３】
一方、このビデオプロセッサのバックカバー４に露出された各コネクタ２３ａ’，２３ｂ’，２３ｃ’，２３ｄ’，…に接続する機器からの信号ケーブルの端末に設けられている各プラグ４５ａ，４５ｂ，４５ｃ，４５ｄ，…毎に機器名と、その機器からの信号ケーブルの種別を表示したタグ４６を設ける。例えば、コネクタ２３ａ’に接続する機器ＡＢＣからの信号ケーブルのプラグ４５ａには機器ＡＢＣを示すＡＢＣ表記タグ４６ａ、コネクタ２３ｂ’に接続する機器ｘｙからの信号ケーブルのプラグ４５ｂには機器ｘｙを示すｘｙ表記タグ４６ｂ、コネクタ２３ｃ’に接続する機器Ｅからの入力信号ケーブルのプラグ４５ｃには機器Ｅの入力信号ケーブルを示すＥｉｎ表記タグ４６ｃ、及びコネクタ２３ｄ’に接続する機器Ｅからの出力信号ケーブルのプラグ４５ｄには機器Ｅの出力信号ケーブルを示すＥｏｕｔ表記タグ４６ｄ等のバックカバー４の各コネクタ２３’の表記と同じ表記を行ったタグ４６を設ける。
【００７４】
これにより、信号ケーブルのプラグ４５に設けられている表記タグ４６の表記と、コネクタ２３’に設けられている表記４１を基に信号ケーブル接続することが可能となり、コネクタ２３’への接続ミスを防ぐことができる。
【００７５】
また、コネクタ２３’の表記４１と、プラグ４５のタグ４６に表示される機器名や信号ケーブル名を示す文字や記号を機器に応じて色分けして表示すると、コネクタ２３’への各機器の信号ケーブルの接続がより一層容易なる。
【００７６】
更に、このコネクタ２３’の表記４１と、各機器からの信号ケーブルのプラグ４５に設けられる表記タグ４６の色分け表示において、ビデオプロセッサに比較的常時接続される機器のコネクタ２３とプラグ４５は、安易な接続ミスを防止するために比較的目立つ色分け表記を行い、特殊な用途で接続頻度の少ない機器のコネクタ２３’とプラグ４５は、比較的慎重に接続作業が行われることから色分けせずに文字や記号のみの表記としても良い。
【００７７】
［付記］
以上詳述した本発明の実施形態によれば、以下のごとき構成を得ることができる。
【００７８】
（付記１）  少なくとも電子内視鏡、光源、及びこの電子内視鏡を駆動制御すると共に、電子内視鏡により撮像した撮像信号に所定の信号処理を施してモニターに内視鏡画像を表示させるビデオプロセッサからなる内視鏡装置において、
電子内視鏡を駆動制御する駆動制御回路、及び撮像信号に所定の信号処理を施す信号処理回路のうち少なくともいずれかの回路機能が形成された印刷回路基板と、
この印刷回路基板に形成された回路機構を覆いシールドするシールドケースと、
このシールドケースが回路機能を覆いシールドした際に、前記シールドケースの側面部の端面と面接触する前記印刷回路基板に設けられた接地パターンと、
前記シールドケースの側面部の端面と前記印刷回路基板の接地パターンとの面接触状態を維持させて、前記シールドケースの側面部の端面以外の位置において前記シールドケースを固定させる固定部と、
を具備することを特徴とした内視鏡装置。
【００７９】
（付記２）  前記固定部により前記シールドケースを固定する際に、前記シールドケースの側面部の端面と、前記印刷回路基板の接地パターンとの間に導電性弾性部材を介在させることを特徴とした付記１に記載の内視鏡装置。
【００８０】
（付記３）  前記固定部により前記シールドケースを固定させる際に、前記シールドケースと前記固定部材の間に導電性弾性部材を介在させたことを特徴とした付記１に記載の内視鏡装置。
【００８１】
（付記４）  前記固定部は、前記印刷回路基板に植設されたスペーサ部材と、このスペーサ部材に前記シールドケースの天板部を固定するネジ部材とからなることを特徴とした付記１乃至３のいずれかに記載の内視鏡装置。
【００８２】
（付記５）  少なくとも電子内視鏡、光源、及び電子内視鏡を駆動制御すると共に、電子内視鏡により撮像した撮像信号に所定の信号処理を施してモニターに内視鏡画像を表示させるビデオプロセッサからなる内視鏡装置において、
電子内視鏡を駆動制御する駆動制御回路、及び撮像信号に所定の信号処理を施す信号処理回路のうち少なくともいずれかの回路機能が形成された印刷回路基板と、
この印刷回路基板に形成された回路機構を覆いシールドするシールドケースと、
このシールドケースが回路機能を覆いシールドした際に、前記シールドケースの側面部の端面と面接触する前記印刷回路基板に設けられた接地パターンと、
前記印刷回路基板を載置する印刷回路基板用のブラケットが設けられたボトムカバーと、
前記シールドケースの天板部が内面に取付固定され、前記ボトムカバーに取り付けられるトップカバーと、
このトップカバーを前記ボトムカバーに取り付ける際に、前記シールドケースの側面部の端面が前記ブラケットに載置されている前記印刷回路基板の接地パターンとの面接触を維持させて、前記トップカバーをボトムカバーに取り付ける取付部と、
を具備したことを特徴とする内視鏡装置。
【００８３】
（付記６）  前記取付部により前記トップカバーを前記ボトムカバーに取り付ける際に、前記シールドケースの側面部の端面と、前記印刷回路基板の接地パターンとの間に導電性弾性部材を介在させることを特徴とした付記５に記載の内視鏡装置。
【００８４】
（付記７）  前記ボトムカバーに設けられた印刷回路基板用のブラケットには、前記印刷回路基板が載置された際に、前記印刷回路基板の前後左右の位置決めを行うための切り起こし片を有していることを特徴とした付記５に記載の内視鏡装置。
【００８５】
（付記８）  前記印刷回路基板に設けられる接地パターンの幅形状は、前記シールドケースを形成する部材の厚み形状、あるいは、前記シールドケースの側面部の端面を最少の折り曲げ幅にて折り曲げた形状と略同等に形成されていることを特徴とした付記１乃至６のいずれかに記載の内視鏡装置。
【００８６】
（付記９）  前記シールドケースは、前記印刷回路基板の一側面側に実装された複数のコネクタが配置されたコネクタ部分を覆いシールドする側面部を除去し、その除去した側面部を前記複数のコネクタが装着される複数のコネクタ開口を有するバックカバーに当接させて固定、あるいは取り付けられることを特徴とした付記１乃至８のいずれかに記載の内視鏡装置。
【００８７】
（付記１０）  前記印刷回路基板に設けられた前記複数のコネクタが露出するカバー部材に、その露出しているコネクタに接続する機器名や信号ケーブル名を文字図形により表示すると共に、コネクタに接続する機器からの信号ケーブルに前記カバー部材に表記したと同じ機器名や信号ケーブル名を文字図形により表示したタグを設けたことを特徴とした請求項１乃至９のいずれかに記載の内視鏡装置。
【００８８】
（付記１１）  前記カバー部材に表記されるコネクタの機器名や信号ケーブル名の文字図形と、コネクタに接続する機器の信号ケーブルに表記する機器名と信号ケーブル名の文字図形とを機器に応じて色分け表記することを特徴とした請求項１０に記載の内視鏡装置。
【図面の簡単な説明】
【００８９】
【図１】本発明の内視鏡装置に用いるビデオプロセッサの全体構成を説明する一部展開斜視図。
【図２】本発明の第１の実施形態の内視鏡装置のビデオプロセッサに用いる印刷回路基板、シールドケース、及びブラケットの関係を示す展開斜視図。
【図３】本発明の第１の実施形態の内視鏡装置のビデオプロセッサに用いる印刷回路基板、シールドケース、及びブラケットの組立状態を示す断面図。
【図４】本発明の第２の実施形態の内視鏡装置に用いるビデオプロセッサの構成を示す展開斜視図。
【図５】本発明の第２の実施形態の内視鏡装置のビデオプロセッサに用いるトップカバー、印刷回路基板、シールドケース、及びブラケットの組立状態を示す断面図。
【図６】本発明の第３の実施形態の内視鏡装置に用いるビデオプロセッサの背面から見た展開斜視図。
【図７】本発明に係る内視鏡装置に設けられているコネクタと、そのコネクタに接続される信号ケーブルフラグの識別表記を説明する説明図。
【図８】本発明に係る電子内視鏡装置の構成を示すブロック図。
【図９】従来の内視鏡装置の課題を説明する展開斜視図。
【符号の説明】
【００９０】
１  ビデオプロセッサ
２  フロントカバー
３  ボトムカバー
４  バックカバー
５  トップカバー
６  シールドケース
９  シールドケース
１１  ブラケット
１７  コネクタ開口
２１  印刷回路基板
２２  電気回路素子
２３  コネクタ
２４  接地パターン
２５  ネジ挿通孔
２６  導電性弾性層
２７  スペーサ部材
２８  雄ネジ部
２９  雌ネジ部
３０  天板部
３１  側面部
代理人  弁理士  伊藤  進
【図１】
2006026174.tif 000003
【図２】
2006026174.tif 000004
【図３】
2006026174.tif 000005
【図４】
2006026174.tif 000006
【図５】
2006026174.tif 000007
【図６】
2006026174.tif 000008
【図７】
2006026174.tif 000009
【図８】
2006026174.tif 000010
【図９】
2006026174.tif 000011